(57)【要約】【課題】作業員の負担軽減を図るとともに、作業効率の向上を図り、点検作業にかかる時間短縮を図ること。【解決手段】平板形状をなす支持部材１０１と、支持部材１０１に取り付けられて電源を収容する筐体１０３と、電源から供給される電力により筐体１０３の外側に向けて発光する光源１０４と、光源１０４の点灯・消灯を切り替える切換部材としてのスイッチ１０５と、筐体１０３に設けられて、可搬性を有する小型電灯を保持する保持部１０６と、を備えた点検作業支援装置１００を構成した。【選択図】図６
2014220083.tif 000002
【特許請求の範囲】
【請求項１】
平板形状をなす支持部材と、
前記支持部材に取り付けられて電源を収容する筐体と、
前記電源から供給される電力により前記筐体の外側に向けて発光する光源と、
前記光源の点灯・消灯を切り替える切換部材と、
前記筐体に設けられて、可搬性を有する小型電灯を保持する保持部と、
を備えたことを特徴とする点検作業支援装置。
【発明の詳細な説明】
【技術分野】
【０００１】
この発明は、点検作業を支援する点検作業支援装置に関する。
【背景技術】
【０００２】
たとえば、発電業務におけるユニットの保守・管理に際して、現場の補機や弁などに設けられた温度計や圧力計などの指示値を記録する作業があった。このような記録作業に際しては、記録表をバインダに挟んで現場に持って行き、バインダを台にして記録を取ることが多い。
【０００３】
具体的には、たとえば、左手でバインダを支え、右手で筆記用具を持ち必要な記録を取る。このような記録作業を暗所において使用する場合、懐中電灯などの照明が必要となるが、両手がふさがっているため一人ではバインダ上の用紙を照らすことが困難であり、別の作業者の手を借りなければならないという不便があった。
【０００４】
このような不便さを解消するため、従来、具体的には、たとえば、板体上の紙葉等を保持するホルダ部に、ホルダ部表面を照明自在とする照明部を備え、紙葉等を保持する保持部材を着脱自在に保持する保持部材を取り付けた紙葉等のホルダに関する技術があった（たとえば、下記特許文献１を参照。）。
【０００５】
また、従来、具体的には、たとえば、バインダや画板等の下敷き板の一辺部に脱着出来る取り付け部材を備えた電池収納本体に、先端に照明用ライトを備えるフレキシブルアームを当該電池収納本体に対して回動可能に設けるとともに、当該照明用ライトのスイッチを設けたバインダーライトに関する技術があった（たとえば、下記特許文献２を参照。）。
【０００６】
また、従来、具体的には、たとえば、ライト本体を照明姿勢変更自在に支持する基部を、バインダーボードの下敷き部に着脱自在に設けた技術があった（たとえば、下記特許文献３を参照。）。
【０００７】
また、従来、具体的には、たとえば、バインダ本体の表板を開くと弾性体からなる薄板状の起立姿勢保持板によって脚板が起立され、照明器具が持ち上げられることによって、裏板に対して高い位置に位置付けられた照明器具によって裏板内面上の紙面全体を照明するようにした技術があった（たとえば、下記特許文献４を参照。）。
【先行技術文献】
【特許文献】
【０００８】
【特許文献１】特開２００３−２１７３０３号公報
【特許文献２】特開２００１−７６５０１号公報
【特許文献３】特開２００４−９５４６８号公報
【特許文献４】実公平２−１４４５５号公報
【発明の概要】
【発明が解決しようとする課題】
【０００９】
しかしながら、上述した従来の技術は、手元のみを照明するため、暗い現場に設置されている計器を読み取るために必要な明るさを確保することが難しいという問題があった。このため、従来の技術による照明を用いて、暗い現場に設置されている計器の指示値を読み取ろうとする場合、作業員は読み取り対象とする計器ごとに近づかなければならず、複数の計器の指示値を読み取るために時間がかかるという問題があった。また、従来の技術による照明は、高所に設置されている計器などのように近づくことが困難な計器の指示値を読み取ることが難しいという問題があった。
【００１０】
また、現場の計器周辺は、計器周り同様に暗い場合が多く、従来、作業員は懐中電灯などの照明を携帯して現場に向かい、現場に到着した際にその懐中電灯を作業服のポケットなどへ入れて作業をしていた。このため、作業着がかさばり、周辺の回転機器に巻き込まれるなどの懸念があり、安全性に劣るという問題があった。
【００１１】
この発明は、上述した従来技術による問題点を解消するため、作業員の負担軽減を図るとともに、作業効率の向上を図り、点検作業にかかる時間短縮を図ることができる点検作業支援装置を提供することを目的とする。
【００１２】
また、この発明は、上述した従来技術による問題点を解消するため、点検作業にかかる作業員の安全性の向上を図ることができる点検作業支援装置を提供することを目的とする。
【課題を解決するための手段】
【００１３】
上述した課題を解決し、目的を達成するため、この発明にかかる点検作業支援装置は、平板形状をなす支持部材と、前記支持部材に取り付けられて電源を収容する筐体と、前記電源から供給される電力により前記筐体の外側に向けて発光する光源と、前記光源の点灯・消灯を切り替える切換部材と、前記筐体に設けられて、可搬性を有する小型電灯を保持する保持部と、を備えたことを特徴とする。
【発明の効果】
【００１４】
この発明にかかる点検作業支援装置によれば、作業員の負担軽減を図るとともに、作業効率の向上を図り、点検作業にかかる時間短縮を図ることができるという効果を奏する。
【００１５】
また、この発明にかかる点検作業支援装置によれば、点検作業にかかる作業員の安全性の向上を図ることができるという効果を奏する。
【図面の簡単な説明】
【００１６】
【図１】この発明にかかる実施の形態の点検作業支援装置の構成を示す説明図である。
【図２】この発明にかかる実施の形態の点検作業支援装置の回路構成を示す説明図である。
【図３】この発明にかかる実施の形態の点検作業支援装置の使用手順を示す説明図（その１）である。
【図４】この発明にかかる実施の形態の点検作業支援装置の使用手順を示す説明図（その２）である。
【図５】この発明にかかる実施の形態の点検作業支援装置の使用手順を示す説明図（その３）である。
【図６】この発明にかかる実施の形態の点検作業支援装置の使用例を示す説明図である。
【図７】この発明にかかる実施の形態の点検作業支援装置の変形例１を示す説明図（その１）である。
【図８】この発明にかかる実施の形態の点検作業支援装置の変形例１を示す説明図（その２）である。
【図９】この発明にかかる実施の形態の点検作業支援装置の変形例２を示す説明図（その１）である。
【図１０】この発明にかかる実施の形態の点検作業支援装置の変形例２を示す説明図（その２）である。
【図１１】この発明にかかる実施の形態の点検作業支援装置の変形例３を示す説明図（その１）である。
【図１２】この発明にかかる実施の形態の点検作業支援装置の変形例３を示す説明図（その２）である。
【発明を実施するための形態】
【００１７】
以下に添付図面を参照して、この発明にかかる点検作業支援装置の好適な実施の形態を詳細に説明する。
【００１８】
（点検作業支援装置の構成）
まず、この発明にかかる実施の形態の点検作業支援装置の構成について説明する。図１は、この発明にかかる実施の形態の点検作業支援装置の構成を示す説明図である。この発明にかかる実施の形態の点検作業支援装置は、机などの筆記台のない場所において、たとえば計器の指示値を手書きによって記録する場合に用いるバインダとして用いる。
【００１９】
図１において、この発明にかかる実施の形態の点検作業支援装置１００は、支持部材１０１を備えている。支持部材１０１は、長方形の平板形状をなす。支持部材１０１は、たとえば、プラスチックなどと称される高分子材料、木、金属などのように、作業員による筆記圧が加えられた場合に形状を保持できる程度の硬度を有する材料によって形成することができる。
【００２０】
支持部材１０１の一面側には、固定部材１０２が取り付けられている。固定部材１０２は、支持部材１０１に対して、当該支持部材１０１に設けられた図示を省略する軸を支点として揺動可能に軸支されている。軸は、当該軸の軸心を、支持部材１０１の面方向に平行にした状態で設けられている。
【００２１】
固定部材１０２は、揺動支点となる軸に設けられた図示を省略するトーションスプリングなどの付勢部材によって、軸とは反対側の辺（先端）を支持部材１０１に当接させる方向に付勢されている。固定部材１０２は、固定部材１０２を付勢する付勢部材の付勢力によって、支持部材１０１と固定部材１０２との間に挟まれた記録用紙などのシート状の部材を保持する。
【００２２】
また、支持部材１０１の一面側には、電源（図２を参照）を収容する筐体１０３が設けられている。筐体１０３は、直方体形状をなし、電池の着脱に際して開閉される蓋（図示を省略する）を備えている。筐体１０３は、支持部材１０１の一面において、固定部材１０２の軸を間にして、当該固定部材１０２の先端とは反対側に設けられている。筐体１０３は、固定部材１０２が開く方向とは反対側に設けられている。
【００２３】
筐体１０３には、光源１０４が設けられている。光源１０４は、たとえば、ＬＥＤ（Ｌｉｇｈｔ  Ｅｍｉｔｔｉｎｇ  Ｄｉｏｄｅ）によって実現することができる。光源１０４は、筐体１０３における固定部材１０２側の壁面に設けられている。また、筐体１０３には、光源１０４を点灯させたり消灯させたりする切換部材としてのスイッチ１０５が設けられている。光源１０４は、スイッチ１０５の切り換えにより点灯した状態において、筐体１０３の外側に向けて発光し、支持部材１０１の一面における固定部材１０２側を照明する。
【００２４】
また、筐体１０３には、可搬性を有する小型電灯を保持する保持部１０６が設けられている。可搬性を有する小型電灯は、具体的には、懐中電灯によって実現することができる。懐中電灯は、電池を収容するとともに携帯する際に持ち手として機能する軸部と、軸部の一端に設けられた光源部と、を備えて構成される（図３〜図６を参照）。
【００２５】
保持部（ホルダ）１０６は、このような懐中電灯の軸部を保持するペンクリップ形状をなす。具体的には、保持部１０６は、懐中電灯の軸部を挟み込むことによって保持する２本のアーム１０６ａ、１０６ｂを備えている。保持部１０６は、２本のアーム１０６ａ、１０６ｂの間に押し込まれた懐中電灯の軸部によって間隔が開かれた２本のアーム１０６ａ、１０６ｂのそれぞれが、元の形状に復帰しようとする弾性力によって軸部を保持する。
【００２６】
（点検作業支援装置１００の回路構成）
つぎに、この発明にかかる実施の形態の点検作業支援装置１００の回路構成について説明する。図２は、この発明にかかる実施の形態の点検作業支援装置１００の回路構成を示す説明図である。図２において、点検作業支援装置１００の回路は、光源（ＬＥＤ）１０４と、電源２０１と、スイッチ１０５と、によって構成される。電源２０１は、たとえば、筐体１０３に対して着脱可能な市販の電池を用いることができる。また、電源２０１は充電池を用いてもよい。
【００２７】
（点検作業支援装置１００の使用手順）
つぎに、この発明にかかる実施の形態の点検作業支援装置１００の使用手順について説明する。図３、図４および図５は、この発明にかかる実施の形態の点検作業支援装置１００の使用手順を示す説明図である。図６は、この発明にかかる実施の形態の点検作業支援装置１００の使用例を示す説明図である。
【００２８】
点検作業支援装置１００を使用する作業員は、点検作業に先立って、支持部材１０１と固定部材１０２との間に記録用紙を挟んで固定し、保持部１０６に懐中電灯３０１を取り付ける。懐中電灯３０１は、光源部（図６を参照）を作業員とは反対側、すなわち、光源部を固定部材１０２とは反対側に向けた状態で取り付ける。
【００２９】
具体的には、光源部を固定部材１０２とは反対側に向けた状態で、懐中電灯３０１の軸部３０２を保持部１０６に乗せる。この状態で、軸部３０２を支持部材１０１側に向かって押し込むように付勢する（図３における矢印を参照）。保持部１０６における２本のアーム１０６ａ、１０６ｂは、支持部材１０１側に押し込まれる軸部３０２によって付勢されて、互いの間隔を開くように変形する（図４を参照）。
【００３０】
この状態からさらに軸部３０２を支持部材１０１側に向かって押し込み、２本のアーム１０６ａ、１０６ｂの先端が軸部３０２の外径におけるもっとも太い部分を通過すると、２本のアーム１０６ａ、１０６ｂが自身の弾性力によって互いの先端を近づけるようにして、２本のアーム１０６ａ、１０６ｂの間に軸部３０２を挟んだ状態で元の形状に復帰する（図５を参照）。これにより、懐中電灯３０１の軸部３０２が保持部１０６によって保持される（図６を参照）。
【００３１】
そして、保持部１０６に保持されている懐中電灯３０１におけるスイッチ６０１を操作して光源部６０２を点灯させ、スイッチ１０５を操作して光源１０４を点灯させる。これにより、懐中電灯３０１の光源部６０２は作業員の前方を照明し、光源１０４は記録用紙を照明する。作業員が点検対象となる計器に身体を向けると、懐中電灯３０１の光源部６０２によって点検対象となる計器を照明することができる。
【００３２】
このように、点検作業支援装置１００は、手元に設けられる光源１０４の筐体１０３の上部に懐中電灯３０１ホルダを結合させたものを装着したバインダの形状をなすため、懐中電灯３０１を点検作業支援装置１００の外向きに照射するように取り付けることにより、計器照射用の光源１０４の明るさを確保することができる。これにより、光の強さに応じて、作業員からある程度離れた位置に設置されている計器の指示値を読むことができる。また、読むべき計器が複数個ある場合に、各々の計器に近づく必要がなくなるため、作業スピードを向上させることができる。
【００３３】
また、使用する懐中電灯３０１を点検作業支援装置１００の保持部１０６に装着した状態で移動することができるため、懐中電灯３０１を作業服のポケットに入れずに現場に向かうことができる。作業員は、点検作業をおこなう現場において落下物の防止、回転機器への巻き込み防止の観点から、ポケットへ物を入れることは避ける必要がある。点検作業支援装置１００を用いることにより、ポケットに懐中電灯３０１を入れないで済むので、作業着がかさばらず、回転機器への巻き込みの危険性を減少させ、作業員の安全性の向上を図ることができる。
【００３４】
また、点検作業支援装置１００を用いることにより、懐中電灯３０１をポケットに入れずに済み、低い所にある計器を読む際に座った場合などにおいてポケットから懐中電灯３０１が落下することを防止できる。このように、懐中電灯３０１を有効に活用できる点検作業支援装置１００は、現場の実態に即している。
【００３５】
（変形例１）
つぎに、この発明にかかる実施の形態の点検作業支援装置１００の変形例１について説明する。図７および図８は、この発明にかかる実施の形態の点検作業支援装置１００の変形例１を示す説明図である。図７および図８において、筐体１０３は、筐体の天面に対して直交する方向を軸芯方向とする軸７０１を中心として、支持部材１０１に対して回動可能に取り付けられている。
【００３６】
これにより、軸７０１を中心として筐体１０３を回動させると、光源１０４による照明方向を任意の方向に変えることができる。このように光源１０４による照明方向を任意の方向に変えることにより、記録用紙に対する記録位置に応じて最適な位置が明るくなるように照明することができる。これによって、作業性の向上を図ることができる。
【００３７】
（変形例２）
つぎに、この発明にかかる実施の形態の点検作業支援装置１００の変形例２について説明する。図９および図１０は、この発明にかかる実施の形態の点検作業支援装置１００の変形例２を示す説明図である。図９および図１０において、保持部１０６は、筐体の天面に対して直交する方向を軸芯方向とする軸９０１を中心として、筐体１０３に対して回動可能に取り付けられている。
【００３８】
これにより、軸９０１を中心として保持部１０６を回動させると、当該保持部１０６が保持する懐中電灯３０１による照明方向を任意の方向に変えることができる。このように懐中電灯３０１による照明方向を任意の方向に変えることにより、作業者は移動することなく、計器の設置位置に応じて最適な計器を照明することができる。これによって、作業性の向上を図ることができる。
【００３９】
（変形例３）
つぎに、この発明にかかる実施の形態の点検作業支援装置１００の変形例３について説明する。図１１および図１２は、この発明にかかる実施の形態の点検作業支援装置１００の変形例３を示す説明図である。図１１および図１２において、保持部１０６は、軸を中心として、筐体１０３に対して回動可能に取り付けられている。また、保持部１０６は、当該保持部１０６が保持する懐中電灯３０１の軸部３０２の軸心方向が、筐体１０３の天面に対してなす角度を調整可能に設けられている。
【００４０】
具体的に、保持部１０６は、２本のアーム１０６ａ、１０６ｂと筐体１０３の天面との間に、表面に直線状のスリット１１０１を備えた半球形状をなす部材１１０２を備えている。保持部１０６は、半球形状をなす部材１１０２における直線状のスリット１１０１に挿入した軸１１０３によって筐体１０３に連結されている。
【００４１】
このような構成とすることにより、スリット内における軸の位置を変えることによって保持部１０６が保持する懐中電灯３０１の軸部３０２の軸心方向が、筐体１０３の天面に対してなす角度を調整することができる。また、このような構成とすることにより、軸を中心として保持部１０６を回転させることにより、保持部１０６が保持する懐中電灯３０１による照明方向を任意の方向に変えることができる。
【００４２】
以上説明したように、この発明にかかる実施の形態の点検作業支援装置１００は、平板形状をなす支持部材１０１と、支持部材１０１に取り付けられて電源２０１を収容する筐体１０３と、電源２０１から供給される電力により筐体１０３の外側に向けて発光する光源１０４と、光源１０４の点灯・消灯を切り替える切換部材としてのスイッチ１０５と、筐体１０３に設けられて、可搬性を有する小型電灯を保持する保持部１０６と、を備えたことを特徴としている。
【００４３】
この発明にかかる実施の形態の点検作業支援装置１００によれば、既存の懐中電灯３０１を用いて計器を照明しながら、ＬＥＤにより記録用紙を照明することができるので、計器の指示値を読み取り、読み取った指示値を記録用紙に記録する点検作業に際して、読み取り対象とする計器が暗い場所に設置されている場合にも、明るい場所でおこなう点検作業と同様に作業をおこなわせることができる。
【００４４】
具体的には、読み取り対象とする計器に身体を向けるだけで当該計器を照明することができるので、計器ごとに近寄って指示値を読み取る場合と比較して点検作業にかかる作業員の負担軽減を図ることができる。また、これによって、計器ごとに近寄る時間を省くことができるので、作業効率の向上を図り、点検作業にかかる時間短縮を図ることができる。
【００４５】
また、この発明にかかる実施の形態の点検作業支援装置１００によれば、点検作業支援装置１００を傾けるだけで、高所に設置されている計器などのように近づくことが困難な計器の指示値を容易に読み取ることができる。これによって、作業員の負担軽減を図るとともに、作業効率の向上を図り、点検作業にかかる時間短縮を図ることができる。
【００４６】
特に、変形例３に示したように、保持部１０６が保持する懐中電灯３０１の軸部３０２の軸心方向が、筐体１０３の天面に対してなす角度を調整可能な構成とすることにより、高所に設置されている計器などのように近づくことが困難な計器の指示値を容易に読み取ることができる。これによって、作業員の負担軽減を図るとともに、作業効率の向上を図り、点検作業にかかる時間短縮を図ることができる。
【００４７】
また、この発明にかかる実施の形態の点検作業支援装置１００によれば、一つの懐中電灯３０１を、計器が設置されている位置までの移動に際しては足下や周囲を照らすために使用し、点検作業に際しては上記のように保持部１０６に保持させて計器を照らすために使用することができる。すなわち、足下や周囲を照らすための照明と計器を照らすための照明とを兼用することができる。
【００４８】
これにより、照らす対象に応じて照明を用意する必要がなくなるので、作業者が携行する装備を少なくすることができる。また、照らす対象に応じて使用しない方の照明を作業着のポケットなどに収容する必要がなくなるので、作業着がかさばることをなくし、かさばった作業着が回転機器に巻き込まれるなどの危険から回避することができる。
【００４９】
また、照らす対象に応じて使用しない方の照明を作業着のポケットなどに収容する必要がなくなるので、低い所にある計器を読むためにしゃがみ込んだ場合に懐中電灯３０１がポケットから落下することをなくし、懐中電灯３０１を拾うための負担や、懐中電灯３０１を落とさないように気をつけながらしゃがむことによる作業性の低下をなくすことができる。
【００５０】
また、この発明にかかる実施の形態の点検作業支援装置１００によれば、明るい場所での点検作業など、懐中電灯３０１を必要としない状況において点検作業をおこなう場合は、懐中電灯３０１を取り外して軽量化を図ることができる。これにより、点検作業をおこなう環境に応じて、作業員にかかる負担を軽減することができる。
【産業上の利用可能性】
【００５１】
以上のように、この発明にかかる点検作業支援装置は、点検作業を支援する点検作業支援装置に有用であり、特に、暗い場所に設置された計器の指示値を読み取って記録する点検作業支援装置に適している。
【符号の説明】
【００５２】
１００  点検作業支援装置
１０３  筐体
１０４  光源
１０５  スイッチ
１０６  保持部
１０６ａ，１０６ｂ  アーム
【図１】
2014220083.tif 000003
【図２】
2014220083.tif 000004
【図３】
2014220083.tif 000005
【図４】
2014220083.tif 000006
【図５】
2014220083.tif 000007
【図６】
2014220083.tif 000008
【図７】
2014220083.tif 000009
【図８】
2014220083.tif 000010
【図９】
2014220083.tif 000011
【図１０】
2014220083.tif 000012
【図１１】
2014220083.tif 000013
【図１２】
2014220083.tif 000014
【手続補正書】
【提出日】平成26年6月16日(2014.6.16)
【手続補正１】
【補正対象書類名】特許請求の範囲
【補正対象項目名】全文
【補正方法】変更
【補正の内容】
【特許請求の範囲】
【請求項１】
平板形状をなす支持部材と、
前記支持部材に取り付けられて電源を収容する筐体と、
前記電源から供給される電力により前記筐体の外側に向けて発光する光源と、
前記光源の点灯・消灯を切り替える切換部材と、
前記筐体に設けられて、可搬性を有する小型電灯を保持する保持部と、
を備え、
前記保持部は、前記小型電灯を保持した状態で、当該小型電灯の軸部の軸心方向の角度を、前記支持部材に対して平行方向または垂直方向の少なくともいずれかの方向に変更可能に回動するように当該小型電灯を保持することを特徴とする点検作業支援装置。
【請求項２】
前記光源は、発光する方向を変更可能に取り付けられていることを特徴とする請求項１に記載の点検作業支援装置。
【手続補正２】
【補正対象書類名】明細書
【補正対象項目名】００１３
【補正方法】変更
【補正の内容】
【００１３】
上述した課題を解決し、目的を達成するため、この発明にかかる点検作業支援装置は、
平板形状をなす支持部材と、前記支持部材に取り付けられて電源を収容する筐体と、前記
電源から供給される電力により前記筐体の外側に向けて発光する光源と、前記光源の点灯
・消灯を切り替える切換部材と、前記筐体に設けられて、可搬性を有する小型電灯を保持
する保持部と、を備え、前記保持部は、前記小型電灯を保持した状態で、当該小型電灯の軸部の軸心方向の角度を、前記支持部材に対して平行方向または垂直方向の少なくともいずれかの方向に変更可能に回動するように当該小型電灯を保持することを特徴とする。
また、この発明にかかる点検作業支援装置は、上記発明において、前記光源は、発光する方向を変更可能に取り付けられていることを特徴とする。
【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
平板形状をなす支持部材と、
前記支持部材を保持した場合に当該支持部材の上部側に位置するように取り付けられて電源を収容する筐体と、
前記電源から供給される電力により前記筐体の外側に向けて発光する光源と、
前記光源の点灯・消灯を切り替える切換部材と、
前記筐体に設けられて、可搬性を有する小型電灯を保持する保持部と、
を備え、
前記保持部は、前記小型電灯を保持した状態で、当該小型電灯による照明方向を任意の方向に変えるように、前記筐体の天面に対して直交する方向を軸芯方向とする軸を中心として、当該筐体に対して回動可能に取り付けられ、または、当該小型電灯の軸部の軸心方向が、当該筐体の天面に対してなす角度を調整可能に設けられることを特徴とする点検作業支援装置。
【請求項２】
前記光源は、発光する方向を変更可能に取り付けられていることを特徴とする請求項１に記載の点検作業支援装置。
【手続補正２】
【補正対象書類名】明細書
【補正対象項目名】００１３
【補正方法】変更
【補正の内容】
【００１３】
上述した課題を解決し、目的を達成するため、この発明にかかる点検作業支援装置は、平板形状をなす支持部材と、前記支持部材を保持した場合に当該支持部材の上部側に位置するように取り付けられて電源を収容する筐体と、前記電源から供給される電力により前記筐体の外側に向けて発光する光源と、前記光源の点灯・消灯を切り替える切換部材と、前記筐体に設けられて、可搬性を有する小型電灯を保持する保持部と、を備え、前記保持部は、前記小型電灯を保持した状態で、当該小型電灯による照明方向を任意の方向に変えるように、前記筐体の天面に対して直交する方向を軸芯方向とする軸を中心として、当該筐体に対して回動可能に取り付けられ、または、当該小型電灯の軸部の軸心方向が、当該筐体の天面に対してなす角度を調整可能に設けられることを特徴とする。
また、この発明にかかる点検作業支援装置は、上記発明において、前記光源は、発光する方向を変更可能に取り付けられていることを特徴とする。